(57)【要約】【課題】地上を駐車場や庭などの別用途に利用しながら地下に雨水を貯めておくための貯水槽や貯水池などを設ける貯水槽構造に係るものであり、詳しくは貯水槽の上に形成する下地板に撓みが生じないように支える構造を提供する。【解決手段】壁面に囲まれた凹所に空隙部材４を配置して貯水スペースを確保するとともに該貯水スペースの上に下地板５を敷設して下地を形成する貯水槽構造において、空隙部材４は凸部４ａと溝部４ｂを交互に有するブロックであり、最上部に位置する空隙部材４の表面に下地板５を配置したときに下地板５の周縁部を支える支承具６を、凹所の壁面に取り付けてなる。【選択図】図１
0003145535.tif 000002
【実用新案登録請求の範囲】
【請求項１】
壁面に囲まれた凹所からなる下地に空隙部材を配置して貯水空間を確保するとともに該貯水空間の上に下地板を敷設して下地を形成する貯水槽構造において、空隙部材は凸部と溝部を交互に有し、最上部に位置する空隙部材の表面に下地板を配置したときに下地板の周縁部を支える支承具を、下地の壁面に取り付けてなることを特徴とする貯水槽構造。
【考案の詳細な説明】
【技術分野】
【０００１】
本考案は、地上を駐車場や庭などの別用途に利用しながら地下に雨水を貯めておくための貯水槽や貯水池などを設ける貯水槽構造に係るものであり、詳しくは貯水槽の上に形成する下地板に撓みが生じないように支える構造に関する。
【背景技術】
【０００２】
従来、水資源に乏しいところでは、降雨水を有効に利用するためにいろいろな方法が採られている。
【０００３】
例えば、特許文献１に開示されているように、地表から風化岩盤にモルタル杭を互いに連接させた連続地中壁を造成した後、モルタル杭を貫通して風化岩盤層に多数のボーリング孔を穿設し、ボーリング孔より薬液を注入することによって不透水層を形成したものや、特許文献２に開示されているように、難透水層または不透水層の表面側に設けた多数の枝状溝により流出する降雨水を平面的に集めて透水溝に導き、その透水溝を縦透水層に達するように形成しているものがある。
【０００４】
しかし、一般的に地下に帯水層がない土地や地下に自然の帯水層があっても帯水層を仕切るのが地質上困難な場所など水資源の乏しい土地では、地下に人工的な貯水槽を形成し水資源を確保することが行われている。
【０００５】
その他にも都市部で防火用水や工業用水を確保するために建物の地下や、公園、駐車場の地下などに人工的な貯水スペースを有する貯水槽を設けて薄いが効率よく貯水槽に流れ込むようなシステムを作り上げている。
【０００６】
例えば特許文献３に開示されているようにコンクリートなどの不透水層で形成された凹所に砂利などの空隙部材を人工的に充填して人口の貯水スペースを形成し、該貯水スペースの表面側に形成した不透水層に溜まった水を貯水スペースに流し込むことによって貯水スペースに水を供給した貯水槽としたものなどが挙げられている。
【０００７】
【特許文献１】特公昭５６−４４９７６号公報
【特許文献２】特開昭６０−１８４１１１号公報
【特許文献３】特公平７−３０５３２号公報
【特許文献４】特開２００１−２７９７３７号公報
【考案の開示】
【考案が解決しようとする課題】
【０００８】
以上のような貯水槽の貯水スペースの上を駐車場や公園等に利用することから、上からの圧力に対し十分に耐えうるものでなければならない。そのために貯水スペース内に空隙部材を配置充填しており、空隙部材としては砂利や砕石がよく用いられている。
【０００９】
しかし、これらの砂利や砕石は土地によっては十分な量を入手するのが困難なところもあり、価格的にも高価なるケースが多い。
【００１０】
また、貯水するための広大な凹所があったとしても砕石や砂利を用いる場合少なくとも砕石や砂利の体積分は貯水量が減ってしまうことになる。砕石を用いた場合、通常凹所全体の容積に対して貯水率が４０％程度となってしまい、残りの６０％は砕石自身の体積で取られてしまう。
【００１１】
そこで、特許文献４には、樹脂等の素材からなり凸部と溝部を交互に配置し波状にして空隙率を上げた空隙部材を積み上げて使用することが開示されている。このような空隙部材を用いることで、貯水スペースの空隙率が大きく向上させることができ、貯水槽の貯水効率を上げることができる。
【００１２】
しかし、このような空隙部材を用いた場合でも別の問題がある。積み上げた空隙部材の最上段の空隙部材の上には、駐車場や公園などにするために下地板を敷設するが、一つ一つの溝部に対応する下地板を使用した場合は、空隙部材が溝部で終わっているために周縁において下地板を支えるために溝部に砂利などを入れて埋めてしまい下地板を支えるといった方法を採る必要があること、複数の溝部に連続した一枚の下地板を使用する場合も下地板の周縁を支えるものがなく、やはり端に位置する溝部を埋めないと下地板が撓んでしまうという問題があった。溝部を埋めることで下地板を支えることはできるが、その分の空隙率は落ちてしまうので貯水量が減少する。
【００１３】
そこで、本考案ではこのような空隙率の高い空隙部材を使用した場合でも、空隙率を落とすことなく周縁部まで下地材を支えることができる貯水槽構造の提供を目的とする。
【課題を解決するための手段】
【００１４】
上記のような目的を達成するために本考案の請求項１では、壁面に囲まれた凹所に空隙部材を配置して貯水スペースを確保するとともに該貯水スペースの上に下地板を敷設して下地を形成する貯水槽構造において、空隙部材は凸部と溝部を交互に有するブロックであり、最上部に位置する空隙部材の表面に下地板を配置したときに下地板の周縁部を支える支承具を、凹所の壁面に取り付けてなることを特徴とする。
【考案の効果】
【００１５】
凹所の壁面に、支承具を取り付けて下地板の端部を支える構造としていることから、下地板が撓んだりすることもなく、空隙部材の端に位置する溝部を埋めてしまう必要がなくなり、空隙率を下げることがないので貯水量も低下することがない。
【考案を実施するための最良の形態】
【００１６】
図１に示すのは本考案の貯水槽構造を採用した貯水槽の一例を示す断面図である。本考案の貯水槽構造は、駐車場や公園などの地下といったところに利用することができる構造であり、貯水槽１の上の土地を他の目的で使用するために、貯水槽１の貯水スペースには、空隙を確保しつつ上からの圧力に耐えられるような空隙部材を配置している。そうすることによって貯水槽１の上部を駐車場などの別の用途に使用することができる。
【００１７】
下地２にはコンクリートで形成された方形状の凹所を有しており、該コンクリート下地２に遮水シート３を敷設している。遮水シート３によって防水性を確保した貯水スペース内にブロック状の空隙部材４が配置される。
【００１８】
このブロック状の空隙部材４は、例えば図２に示すようなもので多数の折り曲げ部を形成して凸部４ａと溝部４ｂを交互に配置し波状にして空隙率を上げた構造物であって、例えば、ポリプロピレン、高密度ポリエチレン、硬質塩化ビニル、不飽和ポリエステルなどの樹脂素材からなる成形体やその他軽量な合金など、水によって腐食しにくく軽量な素材からなる。
【００１９】
この空隙部材４を図３のように縦横を互い違いにして貯水スペースの高さまで積み上げたら、積み上げられた空隙部材４の上に凹所の周囲の下地と略面一になるように下地板５を配置する。下地板５は空隙部材４の溝部の部分のみを蓋するような下地板５でもよいし、複数の溝部を一枚の下地板５で蓋するようなものでも構わない。
【００２０】
下地板５は空隙部材４の一対の凸部４ａ間に橋かけすることで溝部４ｂを蓋するように配置している。この空隙部材４の場合は、端が溝部４ｂとなっていることからその隣に位置する凸部４ａと対になる凸部４ａがないので、端に位置する溝部４ｂの上には下地板５を配置することができない。従来では、端に位置する溝部４ｂを砂利など何らかの手段で埋めてしまうことで下地板５を置いていたが、それでは貯水槽１内の空隙率が落ちてしまう。そこで本考案では、図４にその付近の拡大図を示すように、端に位置する溝部４ｂを蓋する下地板５の支承具６を凹所の側壁に取り付けることで、端の溝部４ｂの隣の凸部４ａと前記支承具６との間で橋かけして下地板５を支える構造を採っている。そうすることで空隙部材４の全部の溝部を下地板５で蓋することができ、端に位置する溝部４ｂも空隙として確保することができるので、空隙率も高いものとすることができる。
【００２１】
支承具６としてはＬ字形状の金具や樹脂具を利用することができ、ビスやボルトなどのアンカー部材７を使用して壁面に固定することができる。
【００２２】
下地板５を配置した後は、その上から更に遮水シートを敷設して全面を覆った後に、更に上から盛り土するなどして、公園や駐車場として利用することになる。
【産業上の利用可能性】
【００２３】
公園やグランド、駐車場等の地下に雨水をためておくための貯水槽に適用することができる。
【図面の簡単な説明】
【００２４】
【図１】本考案の貯水槽構造を示す断面図である。
【図２】空隙部材の斜視図である。
【図３】空隙部材を積み上げたところの斜視図である。
【図４】図１における支承具付近の拡大図である。
【符号の説明】
【００２５】
１    貯水槽
２    下地
３    遮水シート
４    空隙部材
４ａ  凸部
４ｂ  溝部
５    下地板
６    支承具
７    アンカー部材
【図１】
0003145535.tif 000003
【図２】
0003145535.tif 000004
【図３】
0003145535.tif 000005
【図４】
0003145535.tif 000006